(57)【要約】【課題】地震による室内天井の変形を抑制しつつ天井下地構造の強度設計を容易に行うことができる。【解決手段】天井下地構造１は、天井材Ｃが取り付けられる複数の野縁２と、野縁２の天井材Ｃとは反対側に配置されて野縁２と直交する方向に延びる複数の野縁受け３と、野縁受け３を吊り下げる複数の吊ボルト５と、斜めに配置されるブレース６と、を備える。ブレース６の上端部を吊ボルト５に固定するブレース上端接続金具７は、吊ボルト５に固定される吊ボルト固定部７１と、ブレース６の上端部が固定されるブレース固定部７２と、吊ボルト固定部７１とブレース固定部７２との間に位置して吊ボルト固定部７１とブレース固定部７２とを区切る脆弱部７３と、を備える。脆弱部７３の剛性は、吊ボルト固定部７１の剛性及びブレース固定部７２の剛性よりも低い。【選択図】図４
2018115460.tif 000002
【特許請求の範囲】
【請求項１】
天井材が取り付けられる複数の野縁と、前記野縁の前記天井材とは反対側に配置されて前記野縁と直交する方向に延びる複数の野縁受けと、前記野縁受けを吊り下げる複数の吊ボルトと、斜めに配置されるブレースと、を備える天井下地構造の、前記ブレースの上端部を前記吊ボルトに固定するブレース上端接続金具であって、
前記吊ボルトに固定される吊ボルト固定部と、
前記ブレースの上端部が固定されるブレース固定部と、
前記吊ボルト固定部と前記ブレース固定部との間に位置して前記吊ボルト固定部と前記ブレース固定部とを区切る脆弱部と、を備え、
前記脆弱部の剛性は、前記吊ボルト固定部の剛性及び前記ブレース固定部の剛性よりも低い、
ブレース上端接続金具。
【請求項２】
前記吊ボルト固定部、前記ブレース固定部、及び前記脆弱部に配置される第一金具と、
前記吊ボルト固定部に配置され、前記第一金具と重ねられて前記第一金具との間に前記吊ボルトを挟持する第二金具と、
前記ブレース固定部に配置され、前記ブレースの上端部が固定されるとともに、前記第一金具に対して揺動可能に連結される第三金具と、を備え、
前記脆弱部には、前記第二金具及び前記第三金具が配置されない、
請求項１に記載のブレース上端接続金具。
【請求項３】
前記吊ボルト固定部では、前記第一金具及び前記第二金具が屈曲されており、
前記ブレース固定部では、前記第一金具及び前記第三金具が屈曲されており、
前記脆弱部では、前記第一金具が屈曲されていない、
請求項２に記載のブレース上端接続金具。
【請求項４】
前記脆弱部は、前記第一金具を直線状に横切る直線領域を含む、
請求項２又は３に記載のブレース上端接続金具。
【請求項５】
前記脆弱部の断面積は、前記吊ボルト固定部の断面積及び前記ブレース固定部の断面積よりも小さい、
請求項１〜４の何れか一項に記載のブレース上端接続金具。
【請求項６】
前記脆弱部は、切り欠きが形成されている、
請求項５に記載のブレース上端接続金具。
【請求項７】
天井材が取り付けられる複数の野縁と、前記野縁の前記天井材とは反対側に配置されて前記野縁と直交する方向に延びる複数の野縁受けと、前記野縁受けを吊り下げる複数の吊ボルトと、Ｖ字状に斜めに配置される一対のブレースと、を備える天井下地構造の、前記一対のブレースの下端部が固定されるブレース下端接続金具であって、
前記野縁受けに固定される野縁受け固定部と、
一方の前記ブレースの下端部が固定される第一ブレース固定部と、
他方の前記ブレースの下端部が固定される第二ブレース固定部と、を備える、
ブレース下端接続金具。
【請求項８】
前記天井下地構造は、前記野縁受けと前記吊ボルトとを連結するとともに、互いに分離可能な上側部材及び下側部材がボルトにより締結された吊金具を更に備え、
前記ブレース下端接続金具は、前記第一ブレース固定部と前記第二ブレース固定部との間に位置し、前記ボルトが挿入される係止穴が形成された係止部を更に備える、
請求項７に記載のブレース下端接続金具。
【請求項９】
天井材が取り付けられる複数の野縁と、前記野縁の前記天井材とは反対側に配置されて前記野縁と直交する方向に延びる複数の野縁受けと、前記野縁受けの前記天井材とは反対側に配置されて前記野縁受けと直交する方向に延びる補強材と、前記野縁受けを吊り下げる複数の吊ボルトと、Ｖ字状に斜めに配置される一対のブレースと、を備える天井下地構造の、前記一対のブレースの下端部が固定されるブレース下端接続金具であって、
前記補強材に固定される補強材固定部と、
一方の前記ブレースの下端部が固定される第一ブレース固定部と、
他方の前記ブレースの下端部が固定される第二ブレース固定部と、を備える、
ブレース下端接続金具。
【請求項１０】
前記天井下地構造は、前記野縁受けと前記補強材とが交差する交差位置において前記野縁受けと前記補強材とを連結する連結金具を更に備え、
前記補強材固定部は、
前記補強材に引っ掛ける一対のフック部と、
一対の前記フック部の間に位置し、前記連結金具が配置される切り欠きと、を備える、
請求項９に記載のブレース下端接続金具。
【請求項１１】
天井材が取り付けられる複数の野縁と、
前記野縁の前記天井材とは反対側に配置される複数の野縁受けと、
前記野縁受けを吊り下げる複数の吊ボルトと、
Ｖ字状に斜めに配置される一対のブレースと、
請求項1〜６の何れか一項に記載のブレース上端接続金具と、を備え、
前記脆弱部の剛性は、前記ブレースの剛性よりも低い、
天井下地構造。
【請求項１２】
請求項７又は８に記載のブレース下端接続金具を更に備える、
請求項１１に記載の天井下地構造。
【請求項１３】
前記野縁受けの前記天井材とは反対側に配置されて前記野縁受けと直交する方向に延びる補強材と、
請求項９又は１０に記載のブレース下端接続金具と、を更に備える、
請求項１１に記載の天井下地構造。
【発明の詳細な説明】
【技術分野】
【０００１】
この発明は、天井下地構造のブレースに固定されるブレース上端接続金具、ブレース上端接続金具、及び天井下地構造に関する。
【背景技術】
【０００２】
一般に、天井材を施工するための天井下地構造は、天井材が取り付けられる複数の野縁（「バー」ともいう。）と、野縁の天井材とは反対側に配置されて野縁と直交する方向に延びる複数の野縁受け（「チャンネル」ともいう。）と、建物躯体に固定されて野縁受けを吊り下げる複数の吊ボルトと、を備える。近年の法基準の改正では、特定天井の天井下地構造において、Ｖ字状に斜めに配置される一対のブレースを備えることが求められている場合がある（例えば、特許文献１参照）。
【先行技術文献】
【特許文献】
【０００３】
【特許文献１】特開２０１３−０２３８５５号公報
【発明の概要】
【発明が解決しようとする課題】
【０００４】
従来の特定天井の天井下地構造における強度設計は、ブレースの座屈による設計が一般的である。つまり、ブレース材の長さやメンバーにより天井下地構造の耐力をコントロールしている。
【０００５】
しかしながら、非構造部材の鋼材メンバーに関して、構造材に比べてブレース材に用いることができる構材の品種が非常に少ないため、柔軟な設計を行うことが困難である。しかも、ブレース上下端の接合部にブレースから地震力が伝わると、ブレースの弾性領域での座屈の影響を受けるため、ブレース上下端の接合部に生じる回転力によりブレース上下端の接合部の変形を早めたりするなど、天井下地構造全体の耐力にも大きくかかわってくる場合がある。このため、ブレース材の長さによってブレースのメンバーを変えた場合には、ブレースの座屈荷重を等比にしない限り、吊長さなどのパラメータで実施した試験結果から得られた剛性等を線形補間することができなくなるものと考えられる。
【０００６】
そこで、ブレース材の座屈により天井下地構造の耐力をコントロールするのではなく、ブレースの上下端の接合部の変形により天井下地構造の耐力をコントロールすることが考えられる。
【０００７】
しかしながら、ブレースの下端の接合部を変形させると、当該変形の影響が室内天井に及ぶ可能性がある。
【０００８】
そこで、本発明は、地震による室内天井の変形を抑制しつつ天井下地構造の強度設計を容易に行うことができるブレース上端接続金具、ブレース下端接続金具、及び天井下地構造を提供することを目的とする。
【課題を解決するための手段】
【０００９】
本発明に係るブレース上端接続金具は、天井材が取り付けられる複数の野縁と、野縁の天井材とは反対側に配置されて野縁と直交する方向に延びる複数の野縁受けと、野縁受けを吊り下げる複数の吊ボルトと、斜めに配置されるブレースと、を備える天井下地構造の、ブレースの上端部を吊ボルトに固定するブレース上端接続金具であって、吊ボルトに固定される吊ボルト固定部と、ブレースの上端部が固定されるブレース固定部と、吊ボルト固定部とブレース固定部との間に位置して吊ボルト固定部とブレース固定部とを区切る脆弱部と、を備え、脆弱部の剛性は、吊ボルト固定部の剛性及びブレース固定部の剛性よりも低い。
【００１０】
このブレース上端接続金具では、吊ボルト固定部とブレース固定部との間に、吊ボルト固定部とブレース固定部とを区切るとともに吊ボルト固定部の剛性及びブレース固定部よりも剛性の低い脆弱部が位置している。このため、天井下地構造に地震力が入力されると、ブレース上端接続金具の脆弱部が優先的に変形することで、当該地震力を逃がすことができる。これにより、ブレース上端接続金具の変形により天井下地構造の耐力をコントロールすることができるため、天井下地構造の強度設計を容易に行うことができる。しかも、ブレース上端接続金具は室内天井から離れているため、ブレース上端接続金具が変形しても、当該変形の影響が室内天井に及ぶのを抑制することができる。
【００１１】
上記のブレース上端接続金具において、吊ボルト固定部、ブレース固定部、及び脆弱部に配置される第一金具と、吊ボルト固定部に配置され、第一金具と重ねられて第一金具との間に吊ボルトを挟持する第二金具と、ブレース固定部に配置され、ブレースの上端部が固定されるとともに、第一金具に対して揺動可能に連結される第三金具と、を備え、脆弱部には、第二金具及び第三金具が配置されなくてもよい。このブレース上端接続金具では、第一金具と第二金具とで吊ボルトを挟持するとともに、第三金具にブレースの上端部を固定することで、ブレースの上端部を吊ボルトに接続することができる。また、第一金具に対する第三金具の傾きを変えることで、ブレースの傾斜角度を変えることができる。そして、吊ボルト固定部は、第一金具及び第二金具の二枚で構成され、ブレース固定部は、第一金具及び第三金具の二枚で構成されるのに対し、脆弱部は、第一金具の一枚で構成される。このため、脆弱部の剛性が吊ボルト固定部及びブレース固定部の剛性よりも低くなる。これにより、例えば、ブレースに圧縮荷重が作用した場合は、脆弱部が優先的に屈曲変形することで当該荷重を逃がすことができ、ブレースに引張荷重が作用した場合は、脆弱部が伸長変形することで当該荷重を逃がすことができる。
【００１２】
上記のブレース上端接続金具において、吊ボルト固定部では、第一金具及び第二金具が屈曲されており、ブレース固定部では、第一金具及び第三金具が屈曲されており、脆弱部では、第一金具が屈曲されていなくてもよい。このブレース上端接続金具では、吊ボルト固定部及びブレース固定部を構成する第一金具、第二金具、及び第三金具は屈曲されているのに対し、脆弱部を構成する第一金具は屈曲されていないため、脆弱部において剛性が局所的に小さくなっている。このため、ブレースに圧縮荷重が作用した場合に、脆弱部が優先的に屈曲変形することで当該荷重を逃がすことができる。
【００１３】
上記のブレース上端接続金具において、脆弱部は、第一金具を直線状に横切る直線領域を含んでもよい。このブレース上端接続金具では、脆弱部が第一金具を直線状に横切る直線領域を含むため、ブレースに圧縮荷重が作用した場合に、脆弱部が屈曲変形しやすくなる。
【００１４】
上記のブレース上端接続金具において、脆弱部の断面積は、吊ボルト固定部の断面積及びブレース固定部の断面積よりも小さくてもよい。このブレース上端接続金具では、脆弱部の断面積が吊ボルト固定部の断面積及びブレース固定部の断面積よりも小さいため、脆弱部の剛性が吊ボルト固定部及びブレース固定部の剛性よりも低くなる。これにより、例えば、ブレースに圧縮荷重が作用した場合は、脆弱部が屈曲変形することで当該荷重を逃がすことができ、ブレースに引張荷重が作用した場合は、脆弱部が伸長変形することで当該荷重を逃がすことができる。
【００１５】
上記のブレース上端接続金具において、脆弱部は、切り欠きが形成されていてもよい。このブレース上端接続金具では、脆弱部に切り欠きが形成されているため、脆弱部の剛性が吊ボルト固定部及びブレース固定部の剛性よりも低くなる。これにより、例えば、ブレースに圧縮荷重が作用した場合は、脆弱部が屈曲変形することで当該荷重を逃がすことができ、ブレースに引張荷重が作用した場合は、脆弱部が伸長変形することで当該荷重を逃がすことができる。
【００１６】
本発明に係るブレース下端接続金具は、天井材が取り付けられる複数の野縁と、野縁の天井材とは反対側に配置されて野縁と直交する方向に延びる複数の野縁受けと、野縁受けを吊り下げる複数の吊ボルトと、Ｖ字状に斜めに配置される一対のブレースと、を備える天井下地構造の、一対のブレースの下端部が固定されるブレース下端接続金具であって、野縁受けに固定される野縁受け固定部と、一方のブレースの下端部が固定される第一ブレース固定部と、他方のブレースの下端部が固定される第二ブレース固定部と、を備える。
【００１７】
このブレース下端接続金具では、野縁受けを介することなく一対のブレースから入力された荷重を受けることができるため、一対のブレースに荷重が入力された際に、野縁受けが変形するのを抑制することができる。これにより、天井下地構造に地震力が入力されても、室内天井が変形するのを抑制することができる。
【００１８】
上記のブレース下端接続金具において、天井下地構造は、野縁受けと吊ボルトとを連結するとともに、互いに分離可能な上側部材及び下側部材がボルトにより締結された吊金具を更に備え、ブレース下端接続金具は、第一ブレース固定部と第二ブレース固定部との間に位置し、ボルトが挿入される係止穴が形成された係止部を更に備えてもよい。このブレース下端接続金具では、吊金具のボルトを係止穴に挿入することで係止部を当該ボルトに係止することができるため、野縁受けに対してブレース下端接続金具を固定する際の作業性を向上することができる。しかも、係止穴が形成される係止部は、第一ブレース固定部と第二ブレース固定部との間に位置するため、係止部を吊金具のボルトに係止した際に、ブレース下端接続金具がバランスを崩して落下するのを抑制することができる。
【００１９】
本発明に係るブレース下端接続金具は、天井材が取り付けられる複数の野縁と、野縁の天井材とは反対側に配置されて野縁と直交する方向に延びる複数の野縁受けと、野縁受けの天井材とは反対側に配置されて野縁受けと直交する方向に延びる補強材と、野縁受けを吊り下げる複数の吊ボルトと、Ｖ字状に斜めに配置される一対のブレースと、を備える天井下地構造の、一対のブレースの下端部が固定されるブレース下端接続金具であって、補強材に固定される補強材固定部と、一方のブレースの下端部が固定される第一ブレース固定部と、他方のブレースの下端部が固定される第二ブレース固定部と、を備える。
【００２０】
このブレース下端接続金具では、補強材を介することなく一対のブレースから入力された荷重を受けることができるため、一対のブレースに荷重が入力された際に、補強材が変形するのを抑制することができる。これにより、天井下地構造に地震力が入力されても、室内天井が変形するのを抑制することができる。
【００２１】
上記のブレース下端接続金具において、天井下地構造は、野縁受けと補強材とが交差する交差位置において野縁受けと補強材とを連結する連結金具を更に備え、補強材固定部は、補強材に引っ掛ける一対のフック部と、一対のフック部の間に位置し、連結金具が配置される切り欠きと、を備えてもよい。このブレース下端接続金具では、一対のフック部を補強材に引っ掛けることができるため、補強材に対してブレース下端接続金具を固定する際の作業性を向上することができる。しかも、一対のフック部の間に、連結金具が配置される切り欠きが形成されているため、野縁受けと補強材とが交差する位置にブレース下端接続金具を設けることができる。これにより、ブレース下端接続金具の配置自由度を向上することができる。
【００２２】
本発明に係る天井下地構造は、天井材が取り付けられる複数の野縁と、野縁の天井材とは反対側に配置される複数の野縁受けと、野縁受けを吊り下げる複数の吊ボルトと、Ｖ字状に斜めに配置される一対のブレースと、上記の何れかのブレース上端接続金具と、を備え、脆弱部の剛性は、ブレースの剛性よりも低い。
【００２３】
この天井下地構造では、上記のブレース上端接続金具を備えるとともに、脆弱部の剛性がブレースの剛性よりも低くなっているため、天井下地構造に地震力が入力されると、ブレース上端接続金具の脆弱部が優先的に変形することで、当該地震力を逃がすことができる。これにより、ブレース上端接続金具の変形により天井下地構造の耐力をコントロールすることができるため、天井下地構造の強度設計を容易に行うことができる。しかも、ブレース上端接続金具は室内天井から離れているため、ブレース上端接続金具が変形しても、当該変形の影響が室内天井に及ぶのを抑制することができる。
【００２４】
上記の天井下地構造において、上記の何れかのブレース下端接続金具を更に備えてもよい。この天井下地構造では、上記のブレース下端接続金具を備えるため、地震による室内天井の変形を抑制することができる。
【００２５】
上記の天井下地構造において、野縁受けの天井材とは反対側に配置されて野縁受けと直交する方向に延びる補強材と、上記の何れかのブレース下端接続金具と、を更に備えてもよい。この天井下地構造では、上記のブレース下端接続金具を備えるため、地震による室内天井の変形を抑制することができる。
【発明の効果】
【００２６】
本発明によれば、地震による室内天井の変形を抑制しつつ天井下地構造の強度設計を容易に行うことができる。
【図面の簡単な説明】
【００２７】
【図１】実施形態に係る天井下地構造の斜視図である。
【図２】天井下地構造の一部を示す図である。
【図３】天井下地構造の一部を示す図である。
【図４】ブレース上端接続金具の周囲を示す拡大正面図である。
【図５】ブレース上端接続金具の周囲を示す拡大背面図である。
【図６】ブレース上端接続金具の第一金具を示す斜視図である。
【図７】（ａ）は第一金具の平面図、（ｂ）は第一金具の正面図、（ｃ）は第一金具の背面図である。
【図８】ブレース上端接続金具の第二金具を示す斜視図である。
【図９】（ａ）は第二金具の平面図、（ｂ）は第二金具の正面図、（ｃ）は第二金具の背面図である。
【図１０】ブレース上端接続金具の第三金具を示す斜視図である。
【図１１】（ａ）は第三金具の平面図、（ｂ）は第三金具の正面図、（ｃ）は第三金具の側面図である。
【図１２】第一ブレース下端接続金具の周囲を示す拡大正面図である。
【図１３】第一ブレース下端接続金具の周囲を示す拡大背面図である。
【図１４】第一ブレース下端接続金具を示す斜視図である。
【図１５】（ａ）は第一ブレース下端接続金具の平面図、（ｂ）は第一ブレース下端接続金具の正面図、（ｃ）は第一ブレース下端接続金具の側面図である。
【図１６】第二ブレース下端接続金具の周囲を示す拡大正面図である。
【図１７】第二ブレース下端接続金具の周囲を示す拡大背面図である。
【図１８】第二ブレース下端接続金具を示す斜視図である。
【図１９】（ａ）は第二ブレース下端接続金具の平面図、（ｂ）は第二ブレース下端接続金具の正面図、（ｃ）は第二ブレース下端接続金具の側面図である。
【図２０】変形例のブレース上端接続金具を示す斜視図である。
【図２１】変形例のブレース上端接続金具を示す正面図である。
【図２２】変形例のブレース上端接続金具を示す背面図である。
【発明を実施するための形態】
【００２８】
以下、図面を参照して、本発明に係るブレース上端接続金具、ブレース下端接続金具、及び天井下地構造について詳細に説明する。なお、全図中、同一または相当部分には同一符号を付し、重複する説明を省略する。また、下記の説明において、上下の方向は、天井下地構造における上下の方向をいう。
【００２９】
図１〜図３に示すように、天井下地構造１は、建物躯体（不図示）に対して、室内天井を形成する天井材Ｃを上方から支持するものである。天井下地構造１は、複数の野縁２と、複数の野縁受け３と、１又は複数の補強材４と、複数の吊ボルト５と、複数のブレース６と、ブレース上端接続金具７と、第一ブレース下端接続金具８と、第二ブレース下端接続金具９と、を主構成要素としている。
【００３０】
野縁２は、天井材Ｃが取り付けられる部材である。野縁２は、ステンレスや亜鉛めっき鋼板などの金属材で長尺に形成されている。複数の野縁２は、互いに平行に配置されて、水平方向に延在している。野縁２は、上方に開放された断面略Ｃ字状に形成されている。
【００３１】
野縁受け３は、野縁２の天井材Ｃとは反対側（野縁２の上側）に配置されて野縁２と直交する方向に延びる部材である。野縁受け３は、ステンレスや亜鉛めっき鋼板などの金属材で長尺に形成されている。複数の野縁受け３は、野縁２と互いに平行に配置されて、野縁受け３と直交する水平方向に延在している。野縁受け３は、側方に開放された断面コ字状に形成されている。
【００３２】
野縁２と野縁受け３とは、クリップ１１により連結されている。クリップ１１は、野縁２と野縁受け３とが交差する交差位置において野縁２と野縁受け３とを連結する金具である。クリップ１１は、ステンレスや亜鉛めっき鋼板などの金属材で形成されている。なお、図２及び図３では、クリップ１１の図示を省略している。
【００３３】
補強材４は、野縁受け３の天井材Ｃとは反対側（野縁受け３の上側）に配置されて、野縁受け３と直交する方向に延びる部材である。補強材４は、ステンレスや亜鉛めっき鋼板などの金属材で長尺に形成されている。補強材４は、野縁２と平行かつ野縁受け３と直交する水平方向に延在している。補強材４は、側方に開放された断面コ字状に形成されている。
【００３４】
野縁受け３と補強材４とは、連結金具１２により連結されている。連結金具１２は、野縁受け３と補強材４とが交差する交差位置において野縁受け３と補強材４とを連結する金具である。連結金具１２は、クロスジョイントとも呼ばれる。連結金具１２は、ステンレスや亜鉛めっき鋼板などの金属材で形成されている。なお、図１では、連結金具１２の図示を省略している。
【００３５】
吊ボルト５は、建物躯体Ｓに固定されて野縁受け３を吊り下げる部材である。吊ボルト５は、建物躯体Ｓに着脱可能に固定されてもよく、建物躯体Ｓに着脱不能に固定されてもよい。複数の吊ボルト５は、鉛直方向に直線状に延びており、外周面にネジ溝が刻設されている。
【００３６】
野縁受け３は、吊金具１３を介して吊ボルト５に吊り下げられている。吊金具１３は、吊ボルト５に対して野縁受け３を吊る部材である。吊金具１３は、ステンレスや亜鉛めっき鋼板などの金属材で形成されている。吊金具１３は、ハンガとも呼ばれており、吊ボルト５の下端部に取り付けられている。吊金具１３は、互いに分離可能な上側部材１３ａ及び下側部材１３ｂにより矩形の枠状に形成されており、上側部材１３ａと下側部材１３ｂとがボルト１３ｃにより連結されている。そして、野縁受け３を嵌め込んだ下側部材１３ｂを吊ボルト５に取り付けられた上側部材１３ａに重ね合せ、下側部材１３ｂと上側部材１３ａとをボルト１３ｃにより締結する。これにより、野縁受け３が吊金具１３を介して吊ボルト５に吊り下げられている。
【００３７】
ブレース６は、斜めに配置される部材である。ブレース６は、テンレスや亜鉛めっき鋼板などの金属材で形成されている。ブレース６は、側方に開放された断面Ｃ型に形成されている。ブレース６は、吊ボルト５に固定されて、天井面の振れ止めを行う。そして、天井下地構造１は、Ｖ字状に配置される一対の第一ブレース６Ａ，６Ａと、Ｖ字状に配置される一対の第二ブレース６Ｂ，６Ｂと、を備える。一対の第一ブレース６Ａ，６Ａは、それぞれ吊ボルト５と野縁受け３とに固定される。一対の第二ブレース６Ｂ，６Ｂは、それぞれ吊ボルト５と補強材４とに固定される。なお、第一ブレース６Ａと第二ブレース６Ｂとは、同じ形状をしているため、特に分けて説明する場合を除き、ブレース６として纏めて説明する。
【００３８】
第一ブレース６Ａの上端部は、ブレース上端接続金具７により吊ボルト５に固定される。第一ブレース６Ａの下端部は、第一ブレース下端接続金具８により野縁受け３に固定される。第二ブレース６Ｂの上端部は、ブレース上端接続金具７により吊ボルト５に固定される。第二ブレース６Ｂの下端部は、第二ブレース下端接続金具９により補強材４に固定される。
【００３９】
ブレース上端接続金具７は、ブレース６の上端部を吊ボルト５に固定する部材である。ブレース上端接続金具７は、吊ボルト５の何れの位置にも取り付けることができるが、天井下地構造１の耐力を向上させる観点から、建物躯体Ｓに当接される位置に取り付けられることが好ましい。
【００４０】
図４及び図５に示すように、ブレース上端接続金具７は、吊ボルト固定部７１と、ブレース固定部７２と、脆弱部７３と、を備える。吊ボルト固定部７１は、吊ボルト５に固定される部位である。ブレース固定部７２は、ブレース６の上端部が固定される部位である。脆弱部７３は、吊ボルト固定部７１とブレース固定部７２との間に位置して、吊ボルト固定部７１とブレース固定部７２とを区切る部位である。脆弱部７３の剛性は、吊ボルト固定部７１の剛性及びブレース固定部７２の剛性よりも低くなっている。
【００４１】
ブレース上端接続金具７は、第一金具２１と、第二金具２２と、第三金具２３と、を備える。第一金具２１、第二金具２２、及び第三金具２３は、それぞれ一枚の金属板により形成されており、それぞれの板厚は略同じである。第一金具２１は、吊ボルト固定部７１、ブレース固定部７２、及び脆弱部７３に配置される金具である。第一金具２１は、脆弱部７３を挟んで吊ボルト固定部７１からブレース固定部７２まで延びる。第二金具２２は、吊ボルト固定部７１に配置される金具である。第二金具２２は、第一金具２１と重ねられて第一金具２１との間に吊ボルト５を挟持する。第三金具２３は、ブレース固定部７２に配置される金具である。第三金具２３は、ブレース６の上端部が固定されるとともに、第一金具２１に対して揺動可能に連結される。
【００４２】
吊ボルト固定部７１は、第一金具２１及び第二金具２２により構成される。吊ボルト固定部７１では、第一金具２１及び第二金具２２が屈曲されている。これにより、吊ボルト固定部７１の剛性が高められている。ブレース固定部７２は、第一金具２１及び第三金具２３により構成されている。そして、ブレース固定部７２では、第一金具２１及び第三金具２３が屈曲されている。これにより、ブレース固定部７２の剛性が高められている。脆弱部７３は、第一金具２１により構成される。つまり、脆弱部７３には、第二金具２２及び第三金具２３が配置されない。そして、脆弱部７３では、第一金具が屈曲されていない。このため、脆弱部７３は、吊ボルト固定部７１及びブレース固定部７２のように剛性が高められていない。
【００４３】
脆弱部７３は、ブレース固定部７２に固定されるブレース６の延在方向Ｄと交差する交差方向において、第一金具２１を直線状に横切る直線領域７３ａを含んでいる。ところで、第三金具２３は、ブレース６の傾斜角度に応じて、第一金具２１に対する傾きを変えることができる。一方、実際の施工では、ブレース６の傾斜角度は、所定の角度範囲内となる。所定の角度範囲は、例えば、３０°〜６０°である。このため、脆弱部７３は、少なくとも、ブレース６が所定の角度範囲内で傾斜している場合に、第一金具２１を直線状に横切る直線領域７３ａを含んでいればよい。
【００４４】
また、ブレース固定部７２に固定されるブレース６の延在方向Ｄと交差する交差方向において、脆弱部７３の断面積（直線領域７３ａの断面積）は、吊ボルト固定部７１の断面積及びブレース固定部７２の断面積よりも小さい。つまり、吊ボルト固定部７１は、第一金具２１及び第二金具２２の二枚構造であり、ブレース固定部７２は、第一金具２１及び第三金具２３の二枚構造であるのに対し、脆弱部７３は、第一金具２１の一枚構造であるため、脆弱部７３の断面積が、吊ボルト固定部７１の断面積及びブレース固定部７２の断面積よりも小さくなっている。
【００４５】
次に、第一金具２１、第二金具２２、及び第三金具２３の具体的な形状について説明する。
【００４６】
図４〜図７に示すように、第一金具２１は、左右対称に形成されており、中央に位置する曲板部３１と、曲板部３１の両隣に位置する一対の平板部３２，３２と、を備える。ここで、平板部３２，３２の曲板部３１側を、平板部３２，３２の内側といい、平板部３２，３２の曲板部３１とは反対側を、平板部３２，３２の外側という。なお、一対の平板部３２，３２は、同じ形状であるため、特に分けて説明をする場合を除き、平板部３２として纏めて説明する。
【００４７】
曲板部３１は、吊ボルト固定部７１に位置して、第二金具２２との間で吊ボルト５を挟み込む部位である。曲板部３１は、吊ボルト５の外周に沿う円弧状に屈曲されている。曲板部３１の第二金具２２側（吊ボルト５が配置される側）の円弧面３１ａには、吊ボルト５のネジ溝に対応するネジ溝が刻設されている。
【００４８】
平板部３２は、吊ボルト固定部７１と、ブレース固定部７２と、脆弱部７３と、に位置して、第二金具２２及び第三金具２３が連結される部位である。平板部３２は、略矩形の平板状に形成されている。そして、平板部３２における内側及び上側に位置する略三角形状の部分が、吊ボルト固定部７１となっている。また、平板部３２における外側及び下側に位置する略三角形状の部分が、ブレース固定部７２となっている。また、平板部３２における内側端部と上側端部とが接続される頂点部分と外側端部と下側端部とが接続される頂点部分とを結ぶ対角線部分が、脆弱部７３となっている。
【００４９】
吊ボルト固定部７１に位置する平板部３２の内側端部には、上述した曲板部３１が接続されており、平板部３２の内側端部の剛性が高められている。吊ボルト固定部７１に位置する平板部３２の上側端部には、平板部３２に対して略直角に屈曲する上側屈曲部３４が接続されており、平板部３２の上側端部の剛性が高められている。平板部３２の外側端部には、平板部３２に対して略直角に屈曲する外側屈曲部３５が接続されており、平板部３２の外側端部の剛性が高められている。平板部３２の下側端部には、平板部３２に対して略直角に屈曲する下側屈曲部３６が接続されており、平板部３２の下側端部の剛性が高められている。
【００５０】
そして、上側屈曲部３４と外側屈曲部３５とは離間しており、平板部３２における上側端部と上側端部とを接続する頂点部分では、上側屈曲部３４と外側屈曲部３５とが接続されていない。また、曲板部３１と下側屈曲部３６とは離間しており、平板部３２における内側端部と下側端部とを接続する頂点部分では、曲板部３１と下側屈曲部３６とが接続されていない。これにより、脆弱部７３の剛性が局所的に低くなっている。
【００５１】
平板部３２の吊ボルト固定部７１に位置する部分には、ボルト穴３７が形成されている。平板部３２のブレース固定部７２に位置する部分には、ボルト穴３８が形成されている。ボルト穴３７は、第一金具２１に対して第二金具２２を連結するためのボルト７４が挿入される穴である。ボルト穴３８は、第一金具２１に対して第三金具２３を固定するためのボルト７６が挿入される穴である。
【００５２】
図４、図５、図８及び図９に示すように、第二金具２２は、左右対称に形成されており、中央に位置する曲板部４１と、曲板部４１の両隣に位置する一対の平板部４２，４２と、を備える。なお、一対の平板部４２，４２は、同じ形状であるため、特に分けて説明をする場合を除き、平板部４２として纏めて説明する。
【００５３】
曲板部４１は、吊ボルト固定部７１に位置して、第一金具２１との間で吊ボルト５を挟み込む部位である。曲板部４１は、吊ボルト５の外周に沿う円弧状に屈曲されている。曲板部４１の第一金具２１側（吊ボルト５が配置される側）の円弧面４１ａには、吊ボルト５のネジ溝に対応するネジ溝が刻設されている。
【００５４】
平板部４２は、吊ボルト固定部７１に位置して、第一金具２１の平板部３２に重ね合わされる部位である。平板部４２は、吊ボルト固定部７１と同じ外形を成す平板状に形成されている。平板部４２には、ボルト穴４４が形成されている。ボルト穴４４は、第一金具２１に対して第二金具２２を連結するためのボルト７４が挿入される穴である。
【００５５】
図４、図５、図１０及び図１１に示すように、第三金具２３は、ブレース６と同様に側方に開放された断面コ字状に形成されており、矩形平板状の基板部５１と、基板部５１の両端縁から基板部５１に対して略直角に屈曲する一対の矩形平板状のフランジ部５２，５２と、を備える。なお、一対のフランジ部５２，５２は、同じ形状であるため、特に分けて説明をする場合を除き、フランジ部５２として纏めて説明する。
【００５６】
基板部５１には、係止部５４が形成されている。係止部５４は、ブレース６の位置決めを行うために、基板部５１の一部を基板部５１の内側に切り起こした部分である。つまり、ブレース６は、係止部５４に当接されることで、第二金具２２側（吊ボルト５側）への移動が規制される。
【００５７】
また、基板部５１には、ビス穴５５が形成されている。フランジ部５２には、ビス穴５６が形成されている。基板部５１には、ボルト穴５７が形成されている。ビス穴５５は、基板部５１にブレース６の上端部をビス止めするためのビス７８ａが挿入される穴である。ビス穴５６は、フランジ部５２にブレース６の上端部をビス止めするためのビス７８ｂが挿入される穴である。ボルト穴５７は、第一金具２１に対して第三金具２３を連結するためのボルト７６が挿入される穴である。
【００５８】
このように構成されるブレース上端接続金具７では、図４〜図１１に示すように、第一金具２１の円弧面３１ａと第二金具２２の円弧面４１ａとで吊ボルト５を挟み込む。そして、第一金具２１のボルト穴３７及び第二金具２２のボルト穴４４にボルト７４を挿入し、このボルト７４とナット７５とを締結する。これにより、吊ボルト５に第一金具２１及び第二金具２２が固定される。また、ブレース６の上端を第三金具２３の係止部５４に当接させた状態で、第三金具２３に対してブレース６の上端部をビス止めする。つまり、第三金具２３のビス穴５５に挿入したビス７８ａ及びビス穴５６に挿入したビス７８ｂを、ブレース６の基板部５１及びフランジ部５２にねじ込む。そして、第一金具２１のボルト穴３８及び第三金具２３のボルト穴５７にボルト７６を挿入し、このボルト７６とナット７７とを締結する。これにより、第三金具２３及びブレース６が第一金具２１及び吊ボルト５に対して所定の角度に傾斜した状態で固定される。
【００５９】
図１〜図３に示すように、第一ブレース下端接続金具８は、野縁受け３に固定されるともに、一対の第一ブレース６Ａ，６Ａの下端部が固定される部材である。第一ブレース下端接続金具８は、野縁受け３の何れの位置に固定されてもよいが、天井下地構造１の耐力を向上させる観点から、吊ボルト５及び吊金具１３に吊り下げられる位置に固定されることが好ましい。
【００６０】
図１２〜図１５に示すように、第一ブレース下端接続金具８は、一枚の金属板により形成されている。第一ブレース下端接続金具８は、左右対称に形成されており、左右一対の平板部８１Ａ，８１Ｂと、一対の平板部８１Ａ，８１Ｂの間に位置する係止部８２と、を備える。ここで、平板部８１Ａ，８１Ｂの係止部８２側を、平板部８１Ａ，８１Ｂの内側といい、平板部８１Ａ，８１Ｂの係止部８２とは反対側を、平板部８１Ａ，８１Ｂの外側という。なお、一対の平板部８１Ａ，８１Ｂは、同じ形状であるため、特に分けて説明をする場合を除き、平板部８１として纏めて説明する。
【００６１】
平板部８１Ａは、野縁受け固定部８４と、第一ブレース固定部８５と、を備える。平板部８１Ｂは、野縁受け固定部８６と、第二ブレース固定部８７と、を備える。野縁受け固定部８４及び野縁受け固定部８６は、野縁受け３に固定される部位である。第一ブレース固定部８５は、一対の第一ブレース６Ａ，６Ａのうち一方の第一ブレース６Ａの下端部が固定される部位である。第二ブレース固定部８７は、一対の第一ブレース６Ａ，６Ａのうち他方の第一ブレース６Ａの下端部が固定される部位である。
【００６２】
平板部８１Ａは、略矩形の平板状に形成されている。そして、平板部８１Ａにおける下側の部分が、野縁受け固定部８４となっており、平板部８１Ａにおける上側の部分が、第一ブレース固定部８５となっている。また、平板部８１Ｂは、略矩形の平板状に形成されている。そして、平板部８１Ｂにおける下側の部分が、野縁受け固定部８６となっており、平板部８１Ｂにおける上側の部分が、第二ブレース固定部８７となっている。
【００６３】
平板部８１の上側端部には、平板部８１に対して略直角に屈曲する上側屈曲部１０１が接続されている。平板部８１の外側端部には、平板部８１に対して略直角に屈曲する外側屈曲部１０２が接続されている。平板部８１の下側端部には、平板部８１に対して略直角に屈曲する下側屈曲部１０３が接続されている。
【００６４】
上側屈曲部１０１及び外側屈曲部１０２の屈曲方向は、野縁受け固定部８４に野縁受け３が固定された際に、野縁受け３とは反対側となる方向である。これにより、野縁受け３と干渉することなく、平板部８１の剛性が高められている。一方、下側屈曲部１０３の屈曲方向は、野縁受け固定部８４に野縁受け３が固定された際に、野縁受け３側となる方向である。これにより、下側屈曲部１０３が野縁受け３の下面に当接することで、第一ブレース下端接続金具８が回転するのを防止することができる。
【００６５】
平板部８１Ａの野縁受け固定部８４に位置する部分には、ビス穴１０４が形成されている。平板部８１Ａの第一ブレース固定部８５に位置する部分には、ビス穴１０５が形成されている。平板部８１Ｂの野縁受け固定部８６に位置する部分には、ビス穴１０６が形成されている。平板部８１Ｂの第二ブレース固定部８７に位置する部分には、ビス穴１０７が形成されている。ビス穴１０４及びビス穴１０６は、野縁受け３に対して第一ブレース下端接続金具８を固定するためのビス１０９ａが挿入される穴である。ビス穴１０５は、第一ブレース下端接続金具８に対して一方の第一ブレース６Ａの下端部を固定するためのビス１０９ｂが挿入される穴である。ビス穴１０７は、第一ブレース下端接続金具８に対して他方の第一ブレース６Ａの下端部を固定するためのビス１０９ｃが挿入される穴である。
【００６６】
係止部８２は、一対の平板部８１Ａ，８１Ｂを連結するとともに、吊金具１３のボルト１３ｃに係止される部位である。係止部８２は、平板部８１Ａの第一ブレース固定部８５と平板部８１Ｂの第二ブレース固定部８７との間に位置する。係止部８２は、吊金具１３と対向する位置に配置される。このため、係止部８２は、吊金具１３と干渉しないように、吊金具１３とは反対側に凸となるように屈曲形成されている。係止部８２は、吊金具１３のボルト１３ｃが挿入される係止穴１０８が形成されている。係止穴１０８は、野縁受け３に対する第一ブレース下端接続金具８の固定位置において、ボルト１３ｃに対応する位置に形成されている。
【００６７】
このように構成される第一ブレース下端接続金具８では、ボルト１３ｃを係止穴１０８に挿入して、係止部８２をボルト１３ｃに係止する。このとき、下側屈曲部１０３が野縁受け３の下面に当接するため、第一ブレース下端接続金具８がボルト１３ｃを中心として回転するのが抑制される。そして、野縁受け３に対して第一ブレース下端接続金具８をビス止めする。つまり、野縁受け固定部８４のビス穴１０４に挿入したビス１０９ａ及び野縁受け固定部８６のビス穴１０６に挿入したビス１０９ａを、野縁受け３にねじ込む。また、第一ブレース下端接続金具８に対して一方の第一ブレース６Ａの下端部をビス止めする。つまり、第一ブレース固定部８５のビス穴１０５に挿入したビス１０９ｂを、一方の第一ブレース６Ａにねじ込む。また、第一ブレース下端接続金具８に対して他方の第一ブレース６Ａの下端部をビス止めする。つまり、第二ブレース固定部８７のビス穴１０７に挿入したビス１０９ｃを、他方の第一ブレース６Ａにねじ込む。
【００６８】
図１〜図３に示すように、第二ブレース下端接続金具９は、補強材４に固定されるともに、一対の第二ブレース６Ｂ，６Ｂの下端部が固定される部材である。第二ブレース下端接続金具９は、補強材４の何れの位置に固定されてもよいが、天井下地構造１の耐力を向上させる観点から、吊ボルト５及び吊金具１３により野縁受け３が吊り下げられるとともに、野縁受け３と補強材４とが連結金具１２により連結される位置に固定されることが好ましい。
【００６９】
図１６〜図１９に示すように、第二ブレース下端接続金具９は、一枚の金属板により形成されている。第二ブレース下端接続金具９は、左右対称に形成されており、平板部９１を備える。
【００７０】
平板部９１は、左右一対の補強材固定部９２Ａ，９２Ｂと、左右一対の第一ブレース固定部９３及び第二ブレース固定部９４と、第一ブレース固定部９３と第二ブレース固定部９４との間に位置する接続部９５と、補強材固定部９２Ａと補強材固定部９２Ｂとの間に位置する切り欠き９６と、を備える。ここで、補強材固定部９２Ａ，９２Ｂの切り欠き９６側を、補強材固定部９２Ａ，９２Ｂの内側といい、補強材固定部９２Ａ，９２Ｂの切り欠き９６とは反対側を、補強材固定部９２Ａ，９２Ｂの外側という。また、第一ブレース固定部９３及び第二ブレース固定部９４の接続部９５側を、第一ブレース固定部９３及び第二ブレース固定部９４の内側といい、第一ブレース固定部９３及び第二ブレース固定部９４の接続部９５とは反対側を、第一ブレース固定部９３及び第二ブレース固定部９４の外側という。なお、一対の補強材固定部９２Ａ，９２Ｂは、同じ形状であるため、特に分けて説明をする場合を除き、補強材固定部９２として纏めて説明する。
【００７１】
補強材固定部９２Ａは、平板部９１の一方側の下部に位置して、補強材４に固定される部位である。補強材固定部９２Ｂは、平板部９１の他方側の下部に位置して、補強材４に固定される部位である。第一ブレース固定部９３は、平板部９１の一方側の上部に位置して、一対の第二ブレース６Ｂ，６Ｂのうち一方の第二ブレース６Ｂの下端部が固定される部位である。第二ブレース固定部９４は、平板部９１の他方側の上部に位置して、一対の第二ブレース６Ｂ，６Ｂのうち他方の第二ブレース６Ｂの下端部が固定される部位である。接続部９５は、第一ブレース固定部９３と第二ブレース固定部９４とを接続する部位である。
【００７２】
補強材固定部９２は、略矩形の平板状に形成されている。補強材固定部９２の上側端部の外側には、フック部１１１が接続されている。フック部１１１は、補強材４に引っ掛ける部位であり、第二ブレース下端接続金具９の左右端部に位置する。補強材固定部９２の下側端部には、平板部９１に対して略直角に屈曲する下側屈曲部１１２が接続されている。補強材固定部９２の内側端部には、平板部９１に対して略直角に屈曲する内側屈曲部１１３が接続されている。下側屈曲部１１２及び内側屈曲部１１３の屈曲方向は、平板部９１（補強材固定部９２）からフック部１１１が延びる方向と反対の方向である。これにより、補強材４と干渉することなく、補強材固定部９２の剛性が高められている。
【００７３】
切り欠き９６は、補強材固定部９２Ａと、補強材固定部９２Ｂと、接続部９５とにより画成される。切り欠き９６は、一対の補強材固定部９２Ａ，９２Ｂの間、つまり、一対のフック部１１１の間に位置する。そして、補強材４に第二ブレース下端接続金具９を固定した際、つまり補強材４にフック部１１１を引っ掛けた際に、切り欠き９６には、連結金具１２が配置される。つまり、切り欠き９６は、連結金具１２を囲むように形成されている。なお、切り欠き９６は、連結金具１２との干渉が防止できれば、如何なる形状及び大きさ等であってもよい。
【００７４】
平板部９１の補強材固定部９２に位置する部分には、ビス穴１１７が形成されている。平板部９１の第一ブレース固定部９３に位置する部分には、ビス穴１１８が形成されている。平板部９１の第二ブレース固定部９４に位置する部分には、ビス穴１１９が形成されている。ビス穴１１７は、補強材４に対して第二ブレース下端接続金具９を固定するためのビス１２０ａが挿入される穴である。ビス穴１１８は、第二ブレース下端接続金具９に対して一方の第二ブレース６Ｂの下端部を固定するためのビス１２０ｂが挿入される穴である。ビス穴１１９は、第二ブレース下端接続金具９に対して他方の第二ブレース６Ｂの下端部を固定するためのビス１２０ｃが挿入される穴である。
【００７５】
第一ブレース固定部９３、第二ブレース固定部９４、及び接続部９５の上側端部には、平板部９１に対して略直角に屈曲する上側屈曲部１１４が接続されている。第一ブレース固定部９３及び第二ブレース固定部９４の外側端部には、それぞれ平板部９１に対して略直角に屈曲する外側屈曲部１１５，１１５が接続されている。接続部９５の切り欠き９６側の端部には、平板部９１に対して略直角に屈曲する下側屈曲部１１６が接続されている。
【００７６】
上側屈曲部１１４、外側屈曲部１１５、及び接続部９５は、同じ方向に屈曲している。なお、本実施形態では、上側屈曲部１１４、外側屈曲部１１５、及び接続部９５は、補強材固定部９２からフック部１１１が延びる方向と同じ方向に屈曲している。これにより、上側屈曲部１１４及び外側屈曲部１１５と第二ブレース６Ｂとが干渉することなく、第一ブレース固定部９３、第二ブレース固定部９４、及び接続部９５の剛性が高められている。
【００７７】
このように構成される第二ブレース下端接続金具９では、一対のフック部１１１を補強材４に引っ掛けて、第二ブレース下端接続金具９を補強材４に係止する。このとき、一対のフック部１１１，１１１は、第二ブレース下端接続金具９の左右端部に位置するため、第二ブレース下端接続金具９が回転するのが抑制される。そして、補強材４に対して第二ブレース下端接続金具９をビス止めする。つまり、補強材固定部９２のビス穴１１７に挿入したビス１２０ａを、補強材４にねじ込む。また、第二ブレース下端接続金具９に対して一方の第二ブレース６Ｂの下端部をビス止めする。つまり、第一ブレース固定部９３のビス穴１１８に挿入したビス１２０ｂを、一方の第二ブレース６Ｂにねじ込む。また、第二ブレース下端接続金具９に対して他方の第二ブレース６Ｂの下端部をビス止めする。つまり、第二ブレース固定部９４のビス穴１１９に挿入したビス１２０ｃを、他方の第二ブレース６Ｂにねじ込む。
【００７８】
このように、本実施形態に係るブレース上端接続金具７では、吊ボルト固定部７１とブレース固定部７２との間に、吊ボルト固定部７１とブレース固定部７２とを区切るとともに吊ボルト固定部７１の剛性及びブレース固定部７２よりも剛性の低い脆弱部７３が位置している。このため、天井下地構造１に地震力が入力されると、ブレース上端接続金具７の脆弱部７３が優先的に変形することで、当該地震力を逃がすことができる。これにより、ブレース上端接続金具７の変形により天井下地構造１の耐力をコントロールすることができるため、天井下地構造１の強度設計を容易に行うことができる。しかも、ブレース上端接続金具７は、室内天井を形成する天井材Ｃから離れているため、ブレース上端接続金具７が変形しても、当該変形の影響が室内天井に及ぶのを抑制することができる。
【００７９】
また、このブレース上端接続金具７では、第一金具２１と第二金具２２とで吊ボルト５を挟持するとともに、第三金具２３にブレース６の上端部を固定することで、ブレース６の上端部を吊ボルト５に接続することができる。また、第一金具２１に対する第三金具２３の傾きを変えることで、ブレース６の傾斜角度を変えることができる。そして、吊ボルト固定部７１は、第一金具２１及び第二金具２２の二枚で構成され、ブレース固定部７２は、第一金具２１及び第三金具２３の二枚で構成されるのに対し、脆弱部７３は、第一金具２１の一枚で構成される。このため、脆弱部７３の剛性が吊ボルト固定部７１及びブレース固定部７２の剛性よりも低くなる。これにより、例えば、ブレース６に圧縮荷重が作用した場合は、脆弱部７３が優先的に屈曲変形することで当該荷重を逃がすことができ、ブレース６に引張荷重が作用した場合は、脆弱部７３が伸長変形することで当該荷重を逃がすことができる。
【００８０】
また、このブレース上端接続金具７では、吊ボルト固定部７１及びブレース固定部７２を構成する第一金具２１、第二金具２２、及び第三金具２３は屈曲されているのに対し、脆弱部７３を構成する第一金具２１は屈曲されていないため、脆弱部７３において剛性が局所的に小さくなっている。このため、ブレース６に圧縮荷重が作用した場合に、脆弱部７３が優先的に屈曲変形することで当該荷重を逃がすことができる。
【００８１】
また、このブレース上端接続金具７では、脆弱部７３が第一金具２１を直線状に横切る直線領域７３ａを含むため、ブレース６に圧縮荷重が作用した場合に、脆弱部７３が屈曲変形しやすくなる。
【００８２】
また、このブレース上端接続金具７では、脆弱部７３の断面積が吊ボルト固定部７１の断面積及びブレース固定部７２の断面積よりも小さいため、脆弱部７３の剛性が吊ボルト固定部７１及びブレース固定部７２の剛性よりも低くなる。これにより、例えば、ブレース６に圧縮荷重が作用した場合は、脆弱部７３が屈曲変形することで当該荷重を逃がすことができ、ブレース６に引張荷重が作用した場合は、脆弱部７３が伸長変形することで当該荷重を逃がすことができる。
【００８３】
本実施形態に係る第一ブレース下端接続金具８では、野縁受け３を介することなく一対の第一ブレース６Ａから入力された荷重を受けることができるため、一対の第一ブレース６Ａに荷重が入力された際に、野縁受け３が変形するのを抑制することができる。これにより、天井下地構造１に地震力が入力されても、室内天井が変形するのを抑制することができる。
【００８４】
また、この第一ブレース下端接続金具８では、吊金具１３のボルト１３ｃを係止穴１０８に挿入することで係止部８２を当該ボルト１３ｃに係止することができるため、野縁受け３に対して第一ブレース下端接続金具８を固定する際の作業性を向上することができる。しかも、係止穴１０８が形成される係止部８２は、第一ブレース固定部８５と第二ブレース固定部８７との間に位置するため、係止部８２を吊金具１３のボルト１３ｃに係止した際に、第一ブレース下端接続金具８がバランスを崩して落下するのを抑制することができる。
【００８５】
同様に、本実施形態に係る第二ブレース下端接続金具９では、補強材４を介することなく一対の第二ブレース６Ｂから入力された荷重を受けることができるため、一対の第二ブレース６Ｂに荷重が入力された際に、補強材４が変形するのを抑制することができる。これにより、天井下地構造１に地震力が入力されても、室内天井が変形するのを抑制することができる。
【００８６】
また、この第二ブレース下端接続金具９では、一対のフック部１１１，１１１を補強材４に引っ掛けることができるため、補強材４に対して第二ブレース下端接続金具９を固定する際の作業性を向上することができる。しかも、一対のフック部１１１，１１１の間に、連結金具１２が配置される切り欠き９６が形成されているため、野縁受け３と補強材４とが交差する位置に第二ブレース下端接続金具９を設けることができる。これにより、第二ブレース下端接続金具９の配置自由度を向上することができる。
【００８７】
そして、本実施形態に係る天井下地構造１では、上記のブレース上端接続金具７を備えるとともに、脆弱部７３の剛性がブレース６の剛性よりも低くなっているため、天井下地構造１に地震力が入力されると、ブレース上端接続金具７の脆弱部７３が優先的に変形することで、当該地震力を逃がすことができる。これにより、ブレース上端接続金具７の変形により天井下地構造１の耐力をコントロールすることができるため、天井下地構造１の強度設計を容易に行うことができる。しかも、ブレース上端接続金具７は室内天井を形成する天井材Ｃから離れているため、ブレース上端接続金具７が変形しても、当該変形の影響が室内天井に及ぶのを抑制することができる。
【００８８】
本発明は上記した本実施形態に限定されることなく種々の変形が可能である。
【００８９】
例えば、図２０〜図２２に示すブレース上端接続金具１３０のように、脆弱部に切り欠きが形成されることにより、脆弱部の剛性が吊ボルト固定部及びブレース固定部の剛性よりも低くなるものとしてもよい。
【００９０】
図２０〜図２２に示すブレース上端接続金具１３０は、第一金具１３１と、第二金具１３２と、第三金具１３３と、を備える。
【００９１】
第一金具１３１及び第二金具１３２は、吊ボルト固定部を形成する。第一金具１３１及び第二金具１３２は、ボルト１３４及びナット１３５により締結されることで、吊ボルト５を挟持する。
【００９２】
第三金具１３３は、吊ボルト固定部、ブレース固定部、及び脆弱部を形成する。第三金具１３３の吊ボルト固定部を形成する部分には、屈曲部１３６が形成されている。第三金具１３３のブレース固定部を形成する部分には、屈曲部１３７が形成されている。第三金具１３３の脆弱部を形成する部分には、切り欠き１３８が形成されている。これにより、吊ボルト固定部及びブレース固定部の剛性が高くなっており、反対に、脆弱部の剛性が局所的に低くなっている。このため、ブレース上端接続金具１３０は、引張荷重が作用すると、第三金具１３３の切り欠き１３８が伸長変形することで当該荷重を逃がすことができる。なお、屈曲部１３６及び屈曲部１３７は、互いに同じ方向に屈曲してもよく、互いに異なる方向に屈曲してもよい。本実施形態では、屈曲部１３６及び屈曲部１３７は、互いに異なる方向に屈曲している。
【００９３】
第三金具１３３は、ブレース６と同様に側方に開放された断面コ字状に形成されており、矩形平板状の基板部と、基板部の両端縁から基板部に対して略直角に屈曲する一対の矩形平板状のフランジ部と、を備える。第三金具１３３は、第三金具１３３に固定されるブレース６よりも幅狭となっており、第三金具１３３の基板部にのみ、ビス穴１３９が形成されている。
【００９４】
このように構成されるブレース上端接続金具１３０では、第三金具２３に対してブレース６の上端部をビス止めする。つまり、第三金具１３３のビス穴１３９に挿入したビス１４０を、ブレース６にねじ込む。そして、第一金具１３１と第二金具１３２とで吊ボルト５及び第三金具１３３を挟み込み、ボルト１３４及びナット１３５により第一金具１３１と第二金具１３２とを締結する。これにより、第一金具１３１及び第二金具１３２が吊ボルト５に固定されるとともに、第三金具１３３及びブレース６が第一金具１３１、第二金具１３２及び吊ボルト５に対して所定の角度に傾斜した状態で固定される。
【００９５】
このように構成されるブレース上端接続金具１３０では、脆弱部に切り欠き１３８が形成されているため、脆弱部の剛性が吊ボルト固定部及びブレース固定部の剛性よりも低くなる。これにより、例えば、ブレース６に圧縮荷重が作用した場合は、脆弱部が屈曲変形することで当該荷重を逃がすことができ、ブレース６に引張荷重が作用した場合は、脆弱部が伸長変形することで当該荷重を逃がすことができる。
【符号の説明】
【００９６】
１…天井下地構造、２…野縁、３…野縁受け、４…補強材、５…吊ボルト、６…ブレース、６Ａ…第一ブレース、６Ｂ…第二ブレース、７…ブレース上端接続金具、８…第一ブレース下端接続金具、９…第二ブレース下端接続金具、１１…クリップ、１２…連結金具、１３…吊金具、１３ａ…上側部材、１３ｂ…下側部材、１３ｃ…ボルト、２１…第一金具、２２…第二金具、２３…第三金具、３１…曲板部、３１ａ…円弧面、３２…平板部、３４…上側屈曲部、３５…外側屈曲部、３６…下側屈曲部、３７，３８…ボルト穴、４１…曲板部、４１ａ…円弧面、４２…平板部、４４…ボルト穴、５１…基板部、５２…フランジ部、５４…係止部、５５，５６…ビス穴、５７…ボルト穴、７１…吊ボルト固定部、７２…ブレース固定部、７３…脆弱部、７３ａ…直線領域、７４，７６…ボルト、７５，７７…ナット、７８ａ，７８ｂ…ビス、８１，８１Ａ，８１Ｂ…平板部、８２…係止部、８４，８６…野縁受け固定部、８５…第一ブレース固定部、８７…第二ブレース固定部、９１…平板部、９２，９２Ａ，９２Ｂ…補強材固定部、９３…第一ブレース固定部、９４…第二ブレース固定部、９５…接続部、９６…切り欠き、１０１…上側屈曲部、１０２…外側屈曲部、１０３…下側屈曲部、１０４，１０５，１０６，１０７…ビス穴、１０８…係止穴、１０９ａ，１０９ｂ，１０９ｃ…ビス、１１１…フック部、１１２…下側屈曲部、１１３…内側屈曲部、１１４…上側屈曲部、１１５…外側屈曲部、１１６…下側屈曲部、１１７，１１８，１１９…ビス穴、１２０ａ，１２０ｂ，１２０ｃ…ビス、１３０…ブレース上端接続金具、１３１…第一金具、１３２…第二金具、１３３…第三金具、１３４…ボルト、１３５…ナット、１３６，１３７…屈曲部、１３８…切り欠き、１３９…ビス穴、１４０…ビス、Ｃ…天井材、Ｓ…建物躯体。
【図１】
2018115460.tif 000003
【図２】
2018115460.tif 000004
【図３】
2018115460.tif 000005
【図４】
2018115460.tif 000006
【図５】
2018115460.tif 000007
【図６】
2018115460.tif 000008
【図７】
2018115460.tif 000009
【図８】
2018115460.tif 000010
【図９】
2018115460.tif 000011
【図１０】
2018115460.tif 000012
【図１１】
2018115460.tif 000013
【図１２】
2018115460.tif 000014
【図１３】
2018115460.tif 000015
【図１４】
2018115460.tif 000016
【図１５】
2018115460.tif 000017
【図１６】
2018115460.tif 000018
【図１７】
2018115460.tif 000019
【図１８】
2018115460.tif 000020
【図１９】
2018115460.tif 000021
【図２０】
2018115460.tif 000022
【図２１】
2018115460.tif 000023
【図２２】
2018115460.tif 000024